(57)【特許請求の範囲】
【請求項１】
薬剤を保持した薬剤保持体と、前記薬剤保持体に気流を当てて前記薬剤に含まれる有効成分を含んだ気流を発生させるファンと、前記薬剤保持体及び前記ファンを収納する気流拡散装置本体と、を備える気流拡散装置であって、
前記気流拡散装置本体は、前面側に装着される前面ケースと、後面側に装着される後面ケースと、底部に収容された電池を覆う底部カバーとを備え、
前記前面ケースの正面には排気口が設けられると共に前記後面ケースの背面側の側面及び上面のみには吸気口が設けられ、そして
前記排気口の前方には、前記排気口の外形に対し略同一又は大きい外形を有する遮蔽板が、前記排気口を覆うように近傍配置されて設けられ、
前記ファンが、前記排気口と前記吸気口とを接続する、前記気流が流通するための経路の途中に配設されており、
前記薬剤保持体が、前記ファンの後方側に配置される
ことを特徴とする気流拡散装置。
【発明の詳細な説明】
【技術分野】
【０００１】
本発明は、薬剤を保持した薬剤保持体、又は気流を清浄化するためのフィルタを収納して、ファンにより気流を発生させ、薬剤の有効成分を雰囲気中に拡散ささせたり、又は気流を清浄化したりする気流拡散装置に関する。
【背景技術】
【０００２】
従来、薬剤に含まれる有効成分を雰囲気中に拡散させる装置としては、図１１に示すように、チャンバ１０１内に収納されると共に薬剤を保持した薬剤保持体１０５に、チャンバ１０１内に収納されたファン１０２を用いて気流を当ててその薬剤に含まれる有効成分をチャンバ１０１外（雰囲気中）に拡散させる装置１００が知られている（例えば、特許文献１参照）。
なお、この特許文献１の発明は、本出願人により出願されたものである。
【０００３】
この特許文献１に記載された装置１００においては、ファン１０２は、チャンバ１０１に設けられた吸気口１０３、１０３と排気口１０４、１０４を結んだ、気流が通過する経路の途中位置に設けられており、このとき、薬剤保持体１０５はファン１０２とその排気口１０４、１０４との間に位置し、また、この装置１００では、発生した気流をチャンバ１０１外の所定の方向に向けて略直線状に放出するため、排気口１０４、１０４前方は何も設けられておらず、開放された状態となっている。
なお、以下、「発生した気流を所定の方向に向けて略直線状に放出する性質」を「指向性」として説明し、またこの「指向性」に対し「発生した気流を所定の箇所で放出した際に、その放出する方向に向かって放射状に拡散する性質」を「拡散性」として説明し、勿論この「指向性」と「拡散性」はトレードオフの関係にある。
【０００４】
【特許文献１】特開平１１−１８７７９９号公報（図２）
【発明の開示】
【発明が解決しようとする課題】
【０００５】
ところで、近年、この種の装置の開発及び市場販売が活発化しており、これに伴って、消費者から種々の要望が高まってきている。例えば、気流の発生の仕方、装飾性等が挙げられる。
【０００６】
特許文献１に記載されたような装置では、排出される気流は、主に指向性を有するものであることから、前述した消費者の要望等を考慮すると、以下のような点について改善の余地があると思われる。
【０００７】
特許文献１に記載されたような装置では、ファン１０２により発生した気流が排気口１０４、１０４の前方に向かって略直線的に放出されるため、人体の近傍に設置した場合に、ファン１０２からの気流が人体に直接当たることがある。また、キャンプ等の野外で使用した場合、有効成分を含んだ気流が飲食物等に直接かかることがあり、改善の余地があった。
【０００８】
さらに、排気口１０４、１０４がチャンバ１０１の内部と外部とを貫通している貫通孔として設けられており且つその前方には何も設けられておらず、開放された状態となっているので、装置内部のファン１０２や薬剤保持体等が使用者により外部から直接視認されやすく、装飾性を損ねてしまう場合があった。また、薬剤保持体に触れることもでき、好ましくない。
【０００９】
本発明は、前述した事情に鑑みてなされたものであり、その目的は、外観面で良好であると共に気流の放出をその放出方向に向かって放射状に拡散することができ、装飾性及び拡散性の向上を同時に図ることができる気流拡散装置を提供することにある。
【課題を解決するための手段】
【００１０】
本発明の前述した目的は、下記の構成により達成される。
（１）薬剤を保持した薬剤保持体と、前記薬剤保持体に気流を当てて前記薬剤に含まれる有効成分を含んだ気流を発生させるファンと、前記薬剤保持体及び前記ファンを収納する気流拡散装置本体と、を備える気流拡散装置であって、
前記気流拡散装置本体は、前面側に装着される前面ケースと、後面側に装着される後面ケースと、底部に収容された電池を覆う底部カバーとを備え、
前記前面ケースの正面には排気口が設けられると共に前記後面ケースの背面側の側面及び上面のみには吸気口が設けられ、そして
前記排気口の前方には、前記排気口の外形に対し略同一又は大きい外形を有する遮蔽板が、前記排気口を覆うように近傍配置されて設けられ、
前記ファンが、前記排気口と前記吸気口とを接続する、前記気流が流通するための経路の途中に配設されており、
前記薬剤保持体が、前記ファンの後方側に配置される
ことを特徴とする気流拡散装置。
【００１１】
上記（１）の構成によれば、排気口が前面ケースの正面に配置されるとともに吸気口が後面ケースの背面側の側面及び上面のみに配置されており、排気口の前方には排気口の外形に対し略同一又は大きい外形を有する遮蔽板が排気口を覆うように近傍配置されて設けられる。これにより、ファンの駆動により発生する負圧により吸気口から吸引された気流が、薬剤保持体に当てられ、その結果、薬剤を含んだ気流が排気口から放出されることになるが、このとき、排気口の外形に対し略同一又は大きい外形を有する遮蔽板の存在により、ファンからの気流が略直線的に流れずにその放出方向に向かって放射状に拡散され、この結果、排気口の前方で広範囲にわたって薬剤を含んだ気流を漂わせることができるので、装置の拡散性の向上を図ることができる。また、遮蔽板が排気口の前方に設けられているため、排気口から内部の構造物が見えることがなく、外観性を損ねることがない。加えて、その遮蔽板の存在により、排気口の近傍に配置される異物（例えばファンの羽や電線等）との接触を抑制することができて、例えば幼児等が誤って指等を差し込むことがないので安全性を向上させることができる。
また、上記（１）の構成によれば、ファンの後方側に薬剤保持体が配置されているので、気流拡散装置本体の後方側の正面から見えない側に薬剤保持体を配設することができ、装飾性を向上させることができる。加えて、薬剤保持体を定期的に交換する場合等、薬剤保持体着脱用のカバー等の蓋部を設ける必要があるが、遮蔽板が設けられる前方にこの蓋部を設けた場合と比べて、この蓋部を複雑な構造とせずに、簡単な構造とすることができて取扱性を向上させることができる。
【００１２】
ここで、前述した薬剤保持体に保持（含浸、練り込み、塗布等）させる薬剤、そして薬剤を保持するための担体の例について説明する。
【００１３】
薬剤としては、以下の物を例示することができる。
・２，３，５，６−テトラフルオロ−４−メトキシメチルベンジル ３−（１−プロペニル）−２，２−ジメチルシクロプロパンカルボキシレート［一般名メトフルトリン］
・２，３，５，６−テトラフルオロ−４−メチルベンジル ３−（１−プロペニル）−２，２−ジメチルシクロプロパンカルボキシレート［一般名プロフルトリン］
・２，３，５，６−テトラフルオロベンジル（＋）１Ｒ−トランス−２，２−ジメチル−３−（２，２−ジクロロビニル）−シクロプロパンカルボキシレート［一般名トランスフルトリン］
・１−エチニル−２−メチル−２−ペンテニル ｄｌ−シス／トランス−３−（２，２−シグロロビニル）−２，２−ジメチル−１−シクロプロパンカルボキシレート
・ｄｌ−３−アリル−２−メチル−４−オキソ−２−シクロペンテニル ｄ１−シス／トランス−２，２，３，３−テトラメチル−１−シクロプロパンカルボキシレート［一般名テラレスリン］
・１−エチニル−２−メチル−２−ペンテニル ｄ−シス／トランス−クリサンテマート［一般名エムペンスリン］
・５−プロパギル−２−フリルメチル ｄ−シス／トランス−クリサンテマート［一般名フラメトリン］
・（１，３，４，５，６，７−ヘキサヒドロ−１，３−ジオキソ−２−イソインドリル）メチル ｄｌ−シス／トランス−クリサンテマート［一般名フタルスリン］
・５−プロパギル−２−フリルメチル ２，２，３，３−テトラメチルシクロプロパンカルボキシレート［一般名テフラメトリン］
・２，４−ジメチルベンジル ｄｌ−シス／トランス−２，２−ジメチル−（２−メチル−１−プロペニル）シクロプロパンカルボキシレート［一般名ジメトリン］
・ｄｌ−３−アリル−２−メチル−４−オキソ−２−シクロペンテニル ｄｌ−シス／トランス−クリサンテマート［一般名アレスリン］
・（＋）−２−メチル−４−オキソ−３−（２−プロピニル）−２−シクロペンテニル（＋）−シス／トランス−クリサンテマート［一般名プラレトリン］
・ｄｌ−３−アリル−２−メチル−４−オキソ−２−シクロペンテニル ｄ−シス／トランス−クリサンテマート［一般名アレスリン］
・ｄｌ−３−アリル−２−メチル−４−オキソ−２−シクロペンテニル ｄ−トランス−クリサンテマート［商品名バイオアレスリン］
・ｄ−３−アリル−２−メチル−４−オキソ−２−シクロペンテニル ｄ−トランス−クリサンテマート［商品名エキスリン］
・（５−ベンジル−３−フリル）メチル ｄ−シス／トランス−クリサンテマート［一般名レストメリン］
・３−フェノキシベンジル−ｄｌ−シス／トランス−３−（２，２−ジクロロビニル）−２，２−ジメチル−１−シクロプロパンカルボキシレート［一般名ペルメトリン］
・３−フェノキシベンジル ｄ−シス／トランス−クリサンテマート［一般名フェノトリン］
・α−シアノ−３−フェノキシベンジル ２−（４−クロロフェニル）−３−メチルブチレート［一般名フェンバレレート］
・２，３，５，６−テトラフルオロ−４−メチルベンジル−３−（２−クロロ−３，３，３−トリフルオロ−１−プロペニル）−２，２−ジメチル−１−シクロプロパンカルボキシレート［一般名テフルスリン］
・（±）−α−シアノ−３−フェノキシベンジル （＋）−シス／トランス−クリサンテマート［一般名シフェノトリン］
・α−シアノ−３−フェノキシベンジル シス／トランス−２，２，３，３−テトラメチルシクロプロパンカルボキシレート［一般名フェンプロパトリン］
・２，３，４，５，６−ペンタフルオロベンジル−ｄｌ−シス／トランス ３−（２，２−ジクロロビニル）−２，２−ジメチル−１−シクロプロパンカルボキシレート［一般名フェンフルスリン］
等のピレスロイド系化合物が挙げられる。
【００１４】
これらの化合物は、単独でまたは２種以上を混合して使用される。また、これらの化合物には、光学異性体および立体異性体が存在するが、本発明においてはこれらの有効な各異性体、さらに類緑化合物やその誘導体を単独または混合して使用することもできる。
【００１５】
本発明に係る薬剤には、前述の薬剤の他に、例えば、ジメチルフタレート、２，３，４，５−ビス−（Δ2−ブチレン）−テトラヒドロフラン、２，３，４，５−ビス−（Δ2−ブチレン）−テトラヒドロフルフリルアルコール、Ｎ，Ｎ−ジメチル−ｍ−トルアミド、カプリン酸ジエチルアミド、２，３，４，５−ビス−（Δ2−ブチレン）−テトラヒドロフルフラン、ジ−ｍ−プロピル−イソシンコロネート、第２級ブチルスチリルケトン、ノニルスチリルケトン、Ｎ−プロピルアセトアニリド、２−エチル−１，３−ヘキサジオール、ｐ−メチルジエチルベンゾアミド、ジブチルフタレート、テトラヒドロチオフェン、β−ナフトール、ジアリルジスルフィド、テトラメチルチウラムジサルファイド、グアニジン、タフタレンクレゾール、シクロヘキシミド、シクロヘキシルアミン、Ｎ，Ｎ−ジメチルスルフェニルジチオカーバメイト、Ｏ，Ｏ−ジメチル−Ｓ−２−イソプロピルチオエチルジチオホスフェート、ｒ−クロラーゼ、４−（メチルチオ）−３，５−キシリル−Ｎ−メチルカーバメイト、アニス油、シソ油、ヒバ油、ユーカリプトール、ゲラニオール、シトロネラール、チモール、イソオイゲノール、α−ピネン等が挙げられる。
【００１６】
さらに、本発明に係る薬剤には、各種の添加剤、例えば、効力増強剤、消臭剤および防臭剤、殺菌剤、香料等を用いてもよい。前述の効力増強剤としては、例えば、ピペロニルブトキサイド、Ｎ−プロピルイソゾーム、ＭＧＫ−２６４、サイネピリン２２２，リーセン３８４、ＩＢＴＡ、ＩＢＴＥ、Ｓ−４２１等を、消臭剤および防臭剤としては、例えば、ラウリル酸メタクリレート、ゲラニルクロトネート、ミリスチル酸アセフェート、パラメチルアセトフェノンベンズアルデヒド、酢酸ベンジル、プロピオン酸ベンジル、アミルシンナミックアルデヒド、安息香酸メチル、安息香酸エチル、フェニル酢酸メチル、フェニル酢酸エチル、ネオリン、サフロール、セダウッド油、セダ菜油、シトロネラ油、ラバンテン油、ペティグレイン油、レモングラス油、緑茶エキス、茶抽出物、ポリフェノール等を、殺菌剤としては、例えば、２，４，４’−トリクロロ−２’−ハイドロキシジフェニルエーテル、２，３，５，６−テトラクロロ−４（メチルスルフォニル）ピリジン、アルキルベンジル ジメチルアンモニウムクロライド、ベンジルジメチル｛２−〔２−（ｐ−１，１，３，３−テトラメチルブチルフェノキシ）エトキシ〕エチル｝アンモニウムクロライド、４−イソプロピルトロポロン、Ｎ，Ｎ−ジメチル−Ｎ−フェニル−Ｎ’−（フルオロジクロロメチルチオ）スルフォンアミド、２−（４’−チアゾリル）ベンズイミダゾール、Ｎ−（フルオロジクロロメチルチオ）−フタールイミド、６−アセトキシ−２，４−ジメチル−ｍ−ジオキシン、エチレンビス（ジチオカルバミド酸）亜鉛、エチレンビス（ジチオカルバミド酸）マンガン、亜鉛、マンネブ錯化合物、ビス（ジメチルジチオカルバミド酸）エチレンビス（ジチオカルバミド酸）二亜鉛、ビス（ジメチルチオカルバモイル）ジスルフィルド、クロトン酸、２，６−ジニトロ−４−オクチルフェニル反応異性体混合物、Ｎ−トリクロロメチルチオテトラヒドロフタルイミド、２，３−ジシアノ−１，４−ジチアアントラキノン、２，４−ジクロロ−６−（ｏ−クロロアニリノ）−Ｓ−トリアジノン、Ｓ−ｎ−ブチル Ｓ’−ｐ−ｔｅｒ−ブチルベンジル Ｎ−３−ピリジルジチオカルボンイミデート、Ｎ−（３’，５’−ジクロロフェニル）−１，２−ジメチルクロロプロパン、ジカルボキシイミド、ビス（クロロフェニル）トリクロロエタノール、６−メチルキノキサリン−２，３−ジチオカ−ボネート、テトラクロロイソフタロニトリル、メチル−１−（ブチルカルバモイル）−２−ベンゾイミダゾールカーバメイト、ストレプトマイシン塩酸塩、カスガマイシン塩酸塩、シクロヘキシミド等を挙げることができる。
【００１７】
香料としては、例えば、動物性香料、植物性香料、合成または抽出成分からなる人工香料等があり、動物性香料としては、例えば、じゃ香、霊猫香、竜延香等を、植物性香料としては、例えば、アビエス油、アジョクン油、アーモンド油、アンゲリカルート油、ページル油、べルガモット油、バーチ油、ボアバローズ油、カヤブチ油、ガナンガ油、カプシカム油、キャラウェー油、カルダモン油、カシア油、セロリー油、シナモン油、シトロネラ油、コンニャク油、コリアンダー油、キュベパ油、クミン油、ジル油、樟脳、エストゴラン油、ユーカリ油、フェンネル油、ガーリック油、ジンジャー油、グレープフルーツ油、ポップ油、ジュニパーベリー油、ローレルリーフ油、レモン油、レモングラス油、ロページ油、メース油、ナツメグ油、アンダリン油、タンゼリン油、カラシ油、ハッカ油、燈花油、玉ねぎ油、こしょう油、オレンジ油、セイジ油、スターアニス油、テレビン油、ウォームウッド油、バニラ豆エキストラクト、ローズマリー油等が挙げられる。
【００１８】
また人工香料としては、例えば、ピネン、リモネン等の炭化水素類、リナロール、ゲラニオール、シトロネロール、メントール、ボルネオール、ベンジルアルコール、アニスアルコール、β−フェニルエチルアルコール等のアルコール類、アネトール、オイゲノール等のフェノール類、ｎ−ブチルアルデヒド、イソブチルアルデヒド、ヘキシルアルデヒド、ヘプチルアルデヒド、ｎ−ノニルアルデヒド、ノナジエナール、シトラール、シトロネラール、ベンズアルデヒド、シンナミックアルデヒド、ヘリオトロビン、ワニリン等のアルデヒド類、メチルアミルケトン、メチルノニルケトン、ジアセチル、メントン、樟脳、アセトフェノン、ｐ−メチルアセトフェノン、イオノン等のケトン類、アミルブチロラクトン、メチルフェニルグリシド酸エチル、γ−ノニルラクトン、クマリン、シネオール等のラクトンまたはオキシド類、メチルフォーメート、イソプロピルフォーメート、エチルアセテート、オクチルアセテート、メチルアセテート、ベンジルアセテート、シンナミルアセテート、プロピオン酸ブチル、酢酸イソアミル、イソ酪酸イソプロピル、イソ吉草酸グラニル、カプロン酸アリル、ヘプチル酸ブチル、カプリル酸オクチル、ヘプチンカルボン酸メチル、ペラハゴン酸エチル、オクチンカルボン酸メチル、カプリン酸イソアシル、ラウリン酸メチル、ミリスチン酸エチル、安息香酸エチル、安息香酸ベンジル、フェニル酢酸メチル、フェニル酢酸ブチル、桂皮酸メチル、桂皮酸シンナミル、サリチル酸メチル、アニス酸エチル、アンスラニル酸メチル、エチルピルベート、エチルα−ブチルブチレート等のエステル類が挙げられる。
【００１９】
また香料とともにバッチユリ油等の保留剤、オイゲノール等の変調剤、その他の香料分野で使用されている種々の成分を併用してもよい。さらに有効成分や各種の添加剤の安定性を改善するために、例えば、３，５−ジ−ｔ−ブチル−４−ヒドロキシトルエン、３−ｔ−ブチル−４−ヒドロキシアニソール、３，５−ジ−４−ｔ−ブチル−４−ヒドロキシアニソール、メルカプトベンズイミダゾール、ジラウリル−チオ−ジ−プロピオネート、２，２’−メチレン−ビス−（６−ｔ−ブチル−４−メチルフェノール）、２，２’−メチレン−ビス−（６−ｔ−ブチル−４−エチルフェノール），４，４’−メチレン−ビス−（２，６−ジ−ｔ−ブチルフェノール）、４，４’−ブチリデン−ビス−（６−ｔ−ブチル−３−メチルフェノール）、４，４’−チオ−ビス−（６−ｔ−ブチル−３−メチルフェノール）、１，１−ビス−（４−ヒドロキシフェニル）シクロヘキサン、１，３，５−トリメチル−２，４，６−トリス（３，５−ジ−ｔ−ブチル−４−ヒドロキシベンジル）ベンゼン、トリス（２−メチル−４−ヒドロキシ−５−ｔ−ブチルフェニル）ブタン、テトラキス〔メチレン（３，５−ジ−ｔ−ブチル−４−ヒドロキシヒドロシンナメート）〕メタン、オクタデシル−３，５−ジ−ｔ−ブチル−４−ヒドロキシヒドロシンナメート、フェニル−β−ナフチルアミン、Ｎ，Ｎ’−ジフェニル−ｐ−フェニレンジアミン、２，２，４−トリメチル−１，３−ジヒドロキノリンポリマー、６−エトキシ−２，２，４−トリメチル−１，３−ジヒドロキノリン、２−ｔ−ブチル−４−メトキシフェニール、３−ｔ−ブチル−４−メトキシフェノール、２，６−ジ−ｔ−ブチル−４−エチルフェノール，ステアリル−β−（３，５−ジ−ｔ−ブチル−４−ヒドロキシフェニル）プロピオネート、α−トコフェロール、アスコルビン酸、エリソルビン酸等を含有させることができる。
【００２０】
そして、前述したような薬剤が保持される担体としては、薄型で前述の化合物の揮散を妨げない構造のものを使用するのがよい。このような担体は、その容積が小さくても揮散性に優れるので、ピレスロイド系化合物等が効率よく揮散し、その結果、優れた害虫防除効果および揮散効果を発揮すると共に、これらの効果を維持することができる。
【００２１】
このような担体としては、例えば、紙、糸（撚り糸等）、不織布、木材、パルプ、無機高分子物質、無機多孔質物質（ケイ酸塩、シリカ、ゼオライト等）、有機高分子物質（セルロース、ポリエチレン、ポリプロピレン、ポリビニルアルコール等）、昇華性物質（アダマンタン、シクロドデカン、パラジクロロベンゼン、ナフタリン、樟脳等）、樹脂類などが挙げられ、これらの１種以上を組み合わせて使用することができる。また、自重の数倍以上を保持できる担体、例えば、高吸液性ポリマー、綿、海綿体、連続気泡の発泡体などを用い、より小型化をしてもよい。さらに、紙等を使用する場合には、多数の連続的な空隙を有した、例えば、ハニカム構造、ネット構造等の担体とするのが好ましい。
また、通気性を有する不織布等の布帛を担体として用いることもできる。
また、担体として前述の薬剤が含浸された複数の粒状体（パルプ粒、シリカ等の多孔体等）を用意し、この複数の粒状体を、通気性を有したケース内に収納して薬剤保持体として構成することもできる。さらに、例えば、前述の複数の粒状体又は不織布等のシート状の担体を、ファン（シロッコファン等）内部又は外部に収納又は直接連結させて、ファンの回転と共に担体が協動するように構成することもできる。
【００２２】
担体に前述したような薬剤（化合物）を保持させる方法として、例えば、滴下塗布、浸漬塗布、スプレー塗布、含浸、担体への練り込み等の方法が挙げられる。薬剤の保持量は、害虫の防除に有効な量を持続的に放出できる量であり、具体的には担体の単位面積当りの薬剤量が０．１〜１０ｍｇ／ｃｍ２程度になる量である。
【００２３】
なお、担体に薬剤を保持させる際には、薬剤を有機溶剤などの溶剤に溶解させるのが、効率よく担体に保持させる上で好ましい。このような溶剤としては、例えば、水、メタノール、エタノール等のアルコール類、テトラヒドロフラン、ジオキサン等のエーテル類、ヘキサン、ケロシン、パラフィン、石油ベンジン等の脂肪族炭化水素類、酢酸エチル等のエステル類、グリセリン、ポリエチレングリコール、プロピレングリコール等の多価アルコール類、ミリスチン酸イソプロピル等の脂肪酸エステル等が挙げられる。
【００２４】
本発明の気流拡散装置１０は、例えば、シナハマダラカ、アカイエカ、コガタアカイエカ、ネッタイシマカ、ヒトスジシマカ、トウゴウヤブカ等の蚊；サシバエ等のハエ；シクロアブ、ウシアブ、メクラアブ、ゴマフアブ等のアブ；クロオオブユ、キアシオオブユ、アオキツメトゲブユ等のブユ；トクナガクロズカカ、オオシマヌカカ、ニワトリヌカカ等のヌカカ；キイロスズメバチ、セグロアシナガバチ、ミツバチ等のハチ；ハネアリ等のアリ、ショウジョウバエ等のコバエ等の害虫を防除するのに用いることができる。
【００２５】
そして、前述した薬剤保持体（担体）に代えて、例えば、気流に含まれる粉塵や悪臭を濾過・除去する等、気流を清浄化するためのフィルタを用いる場合には、そのフィルタとして、前述した担体に、炭（例えば、備長炭等）、ゼオライト、カテキン、ポリフェノール、銀イオン、光触媒（例えば、微細酸化チタン等）、各種植物抽出物（例えば、イチョウ葉エキス、ユズエキス、グレープフルーツエキス、ブドウエキス、茶エキス、カキエキス等）等を含浸させて構成する。また、この場合に、前述の香料、精油等を合わせて用いると周囲雰囲気中の環境改善を行うことができてよい。
【発明の効果】
【００２６】
本発明によれば、外観面で良好であると共に気流の放出をその放出方向に向かって放射状に拡散することができ、装飾性及び拡散性の向上を同時に図ることができる気流拡散装置を提供することができる。また、本発明によれば、装置内部に異物が混入することを防ぐことができ、更に薬剤保持体に触れるのを防ぐことができる。
【発明を実施するための最良の形態】
【００２７】
以下、本発明に係る好適な実施形態について、図面を参照しながら説明する。なお、実施形態の説明の前に、本発明の参考例について説明する。
【００２８】
（第１参考例）
まず、本発明に係る第１参考例について説明する。
図１〜図４は本発明に係る気流拡散装置の第１参考例を示すもので、図１は本発明の第１参考例に係る気流拡散装置の遮蔽板を取り外した斜め前方から視た外観斜視図であり、図２は図１の気流拡散装置の斜め後方から視た外観斜視図であり、図３は図１の気流拡散装置の前面ケースを取り外した正面図であり、図４は図１の気流拡散装置のＩ−Ｉ線断面図である。
なお、今回開示される実施の形態は、すべての点で例示であって制限的なものではないと考えられるべきである。本発明の範囲は、前述した意味に限定されるべきではなく、特許請求の範囲によって示され、特許請求の範囲と均等の意味および範囲内でのすべての変更が含まれることが意図される。
【００２９】
図１に示すように、気流拡散装置１０は、前面ケース１２と後面ケース１３とからなる気流拡散装置本体１１と、ファン（図３参照）１４と、薬剤を保持するための薬剤保持体（図４参照）１５と、を備えて構成される。
【００３０】
前面ケース１２は、成形がし易い、例えば、ポリプロピレン、ポリスチレン、ポリカーボネイト、ポリ塩化ビニル、アクリロニトリル・ブタジエン・スチレン樹脂等の樹脂材料を用いてドーム形状に形成されており、前面の中央部に円形の排出口１６を有する。そして、この排出口１６の前方には、遮蔽板１７が取り付けられ、この排気口１６を覆うように近傍配置している。
【００３１】
また、前面ケース１２は、豚の前方半分のデザインを表現するために、遮蔽板１７に施された一対の鼻意匠部１８と、排出口１６の上方に施された一対の目意匠部１９と、目意匠部１９の上側において上方に向けて突出した一対の耳意匠部２０と、排出口１６の下側において下方に向けて突出した一対の前足意匠部２１、２１と、を有し、この前足意匠部２１、２１の間に一対のインジケータランプ孔２２を有する。
【００３２】
図２に示すように、後面ケース１３は、前面ケース１２と同様にして、成形がし易い、例えば、ポリプロピレン、ポリスチレン、ポリカーボネイト、ポリ塩化ビニル、アクリロニトリル・ブタジエン・スチレン樹脂等の樹脂材料を用いて、前面ケース１２に略対称のドーム形状に形成されており、後面の側部に円弧形状をなす４個の吸気口２３を円周方向に等間隔に有する。
【００３３】
また、後面ケース１３は、豚の後方半分のデザインを表現するために、中央部に施された尻尾意匠部２４と、下端部において下方に向けて突出した一対の後足意匠部２５、２５と、を有し、前面ケース１２と後面ケース１３とを合体（閉塞）させるときに使用される可撓係止片２６を吸気口２３の下側に有する。
【００３４】
気流拡散装置本体１１は、前面ケース１２と後面ケース１３とが閉塞されることで、前足意匠部２１と後足意匠部２５とが４本の足を構成することになるので、床やテーブル等の所定の設置場所で安定的に直立されることになる。
【００３５】
次に、図３、図４を参照して、気流拡散装置１０の内部構造について詳細に説明する。
【００３６】
図３に示すように、気流拡散装置本体１１には、前面ケース１２と後面ケース１３との間に隔壁２７が組み付けられており、この隔壁２７に、風洞部２８と、ファン固定部２９と、一対の電池ケース３０と、基板固定部３１と、が形成されている。
【００３７】
隔壁２７は、前面ケース１２および後面ケース１３と同様にして、成形がし易い、例えば、ポリプロピレン、ポリスチレン、ポリカーボネイト、ポリ塩化ビニル、アクリロニトリル・ブタジエン・スチレン樹脂等の樹脂材料を用いて前面ケース１２および後面ケース１３の外形に倣うように円板形状に形成されており、外周側に配置された４個のねじ孔３２に不図示のねじがねじ込まれることで、前面ケース１２に固定されている。
【００３８】
ファン１４は、直流ブラシモータ３３と、旋回翼３４と、からなり、直流ブラシモータ３３のモータ回転軸３５に旋回翼３４が同芯に固定されている。
なお、本実施形態では、旋回翼３４は、直径が、例えば、５９ｍｍで１１枚羽根とされるが、これに限らず種々のものを採用することができる。
【００３９】
風洞部２８は、隔壁２７の中央部に円筒形状に形成されており、後面ケース１３の吸気口２３から導入された気流を前面ケース１２の排気口１６に流通させるための開口として機能することになる。
【００４０】
ファン固定部２９は、風洞部２８の中央に円筒形状に配置されたモータ装着部３６と、風洞部２８の内周の４箇所からモータ送着部３６に向けて延出された４個の支持アーム３７と、を有して構成される。
このとき、ファン固定部２９のモータ装着部３６に直流ブラシモータ３３が装着され、これにより、ファン１４が排気口１６と吸気口２３とを接続する、気流が流通するための経路の途中に配設されることになる。また、直流ブラシモータ３３のリード線３８は、４個の支持アーム３７のうちの一つに形成されているリード線収納溝３９に収納されるので、旋回翼３４の表面側に隠れて配置されて、風洞部２８の内周側に向かってに露出することがない。このため、リード線３８ファン１４により発生した気流に直接当たることがなく、気流に含まれる薬剤の影響を受けることがない。
【００４１】
電池ケース３０は、隔壁２７の両側部にそれぞれ配置されており、単三型の電池４０がそれぞれ収納されている。このため、電池４０は、両側部に配置されることで、気流拡散装置１０を安定的に設置するための錘の機能を果たすことになる。
【００４２】
基板固定部３１には、不図示のスイッチや、同じく不図示の制御回路等を実装した基板４１が固定されており、その下端部にスイッチに操作部４２が取り付けられている。また、基板４１には、前面ケース１２のインジケータランプ孔２２，２２に挿入されるＬＥＤ等の発光素子であるインジケータランプ４３、４４が実装されている。
【００４３】
図４に示すように、遮蔽板１７は、前面ケース１２における排気口１６の内側に位置するように設けられている遮蔽板固定部４５に固定されており、その外径寸法Ｌ１が、排気口１６の内径寸法Ｌ２よりも大きい。
なお、このとき、遮蔽板１７とファン１４の旋回翼３４とは、１０ｍｍ程度の、例えば７〜１２ｍｍの離間距離Ｌ３にて近傍配置されている。
【００４４】
薬剤保持体１５は、ファン１４の背面側（後方側）であって隔壁２７に設けられる薬剤保持体取付部４６に取り付けられており、四角形の枠体４７内に担体４８が収納され得るように構成されている。担体４８は、例えば、外形が６０×６０×１０ｍｍであり、そのセルサイズが２．１ｍｍ、紙坪量が５０ｇ／ｍ２のものが適用され、ハニカム構造にて形成されている。その具体的構成としては、例えば、特開２００２−２０９５００号公報等を挙げることができる。
なお、薬剤保持体１５は、気流拡散装置１０を芳香装置として機能させる場合には、前述した香料等を保持するように構成されていてもよい。
【００４５】
後面ケース１３の上端部には、前面ケース１２の上端部に有する係合部４９に係止される係止突部５０が形成されており、前面ケース１２の下端部には、後面ケース１３の可撓係止片２６が係止される係合部５１が形成されている。このため、前面ケース１２の係合部４９に後面ケース１３の係止突部５０を係止させてから、後面ケース１３を前面ケース１２に合体させ、後面ケース１３の可撓係止片２６を前面ケース１２の係合部５１に係止させることで、後面ケース１３が前面ケース１２に閉塞されることになる。
【００４６】
このような気流拡散装置１０は、床やテーブル等の設置場所に直立され、操作部４２をオンに切換えすることで、直流ブラシモータ３３が駆動され、ファン１４の旋回翼３４が回転を始めることで負圧を発生し、吸気口２３から気流を導入する。そして、導入された気流が、薬剤保持体１５の担体４８内を通過して薬剤を含んで風洞部２８内を通過し、排気口１６から遮蔽板１７に当たる。これにより、ファン１４からの気流が直線的に流れずに遮蔽板１６によってその放出方向に向かって放射状に拡散され、部屋等の空間に、拡散性を有して排気口１６前方で放射状に拡散した状態で前述の薬剤を含んだ気流を漂わせることになる。
【００４７】
また、薬剤として芳香剤を適用した場合、吸気口２３から導入された気流が、薬剤保持体１５の担体４８内を通過して芳香剤成分を含んで風洞部２８内を通過し、排気口１６から遮蔽板１７にあたってその放出方向に向かって放射状に拡散され、部屋等の空間に、放射状に拡散した状態で芳香剤を含んだ気流を漂わせることになる。
【００４８】
以上説明したように、第１参考例によれば、排気口１６が気流拡散装置本体１１の正面に配置されるとともに、吸気口２３が気流拡散装置本体１１の背面に配置されており、排気口１６の前方に、排気口１６の内径（外形）よりも大きい外径（外形）を有する遮蔽板１７が排気口１６を覆うように近傍配置されて設けられる。これにより、ファン１４の駆動により発生する負圧により吸気口２３から吸引された気流が、薬剤保持体１５に当てられ、その結果、薬剤を含んだ気流が排気口１６から放出されることになるが、このとき、排気口１６の外形よりも大きい外形を有する遮蔽板１７の存在により、ファン１４からの気流が略直線的に流れずにその放出方向に向かって放射状に拡散され、この結果、排気口１６の前方で広範囲にわたって薬剤を含んだ気流を漂わせることができるので、装置の拡散性向上を図ることができる。また、遮蔽板１７が排気口の前方に設けられているため、排気口１６から内部の構造物（例えば、ファン固定部２９、ファン１４、リード線３８等）が見えることがなく、外観性を損ねることがない。加えて、その遮蔽板１７の存在により、排気口１６の近傍に配置される異物（例えばファン１４、リード線３８等）との接触を抑制することができて、例えば幼児等が誤って指等を差し込むことがないので安全性を向上させることができる。
なお、遮蔽板１７を排気口１６の内径と略同一になるように設けても、本発明の目的を達成できる。
【００４９】
また、第１参考例によれば、ファン１４の背面側に薬剤保持体１５が配置されているので、気流拡散装置本体１１の背面側の正面から見えない側に薬剤保持体１５を配設することができ、装飾性を向上させることができる。加えて、薬剤保持体１５を定期的に交換する場合には後面ケース１３を前面ケース１２から取り出す作業を行うが、遮蔽板１７が設けられる前方、即ち前面ケース１２を設けた場合と比べて、気流拡散装置１０を複雑な構造とせずに、簡単な構造とすることができて取扱性を向上させることができる。
【００５０】
(第２参考例)
次に、図５を参照して、本発明に係る気流拡散装置の第２参考例について説明する。
図５は本発明の第２参考例に係る気流拡散装置の分解斜視図である。
なお、以下の第２参考例において、前述した第１参考例と共通する構成部分の説明は同一符号または相当符号を付すことで簡略化あるいは省略する。
【００５１】
図５に示すように、第２参考例に係る気流拡散装置６０は、前面ケース１２と後面ケース１３とからなる気流拡散装置本体１１を有し、そして、この後面ケース１３には、横スリット形状の複数の吸気口２３を有する後面カバー６１が着脱自在に取り付けられており、後面ケース１３が隔壁の構造を有した構成になっている。また、気流拡散装置６０は、ファン１４が気流拡散装置本体１１の左方寄りに配置されており、操作部４２およびインジケータランプ４３，４４が前面ケース１２の上部に配置されている。
【００５２】
後面カバー６１は、後面ケース１３よりも小さい外形の板形状に形成されており、３個の係止突部６２と一つの可撓係止片６３とを有し、背面側の下部にスタンド６４を有する。３個の係止突部６２と一つの可撓係止片６３とは、後面ケース１３の背面側に形成された不図示の係合部に係止されることで、後面カバー６１が後面ケース１３に取り付けられる。また、スタンド６４は、後面カバー６１に展開自在に組み付けられているために、用時に、回動させて引き出すことで、気流拡散装置６０を起立させることができる。
また、第２参考例では、薬剤保持体１５に代えて、気流に含まれる粉塵等を濾過・除去して気流を清浄化するためのフィルタ６８を有したカートリッジ６５が取り付けられる。
また、このフィルタ６８は、外形が６０×６０×１０ｍｍであり、そのセルサイズが２．１ｍｍ、紙坪量が５０ｇ／ｍ２のものが適用され、ハニカム構造にて形成されている。
なお、本実施形態では、気流に含まれる粉塵等を濾過・除去するフィルタ６８を用いたが、これに代えて、気流に含まれる悪臭を除去するフィルタを用いてもよく、また、その両方の機能を兼ね備えたフィルタとしてもよい。
【００５３】
第２参考例の気流拡散装置６０は第１参考例と同様の作用効果を奏するために、それらの説明は省略されるが、特に、第２参考例の場合には薬剤保持体１５に代えてフィルタ６８を有したカートリッジ６５が適用されており、このため第２参考例の気流拡散装置６０は空気清浄装置として機能することになる。即ち、第２参考例に係る気流拡散装置６０によれば、ファン１４の駆動により発生する負圧により吸気口２３から導入された空気が、フィルタ６８を通過して清浄化されて風洞部２８内を通過し、排気口１６から遮蔽板１７にあたってその放出方向に向かって放射状に拡散され、トイレ等の小空間、卓上、部屋、タンス、車内、テント等の空間に、この所定空間の広範囲にわたって清浄化された気流を漂わせることになる。
なお、第２参考例においても、遮蔽板１７を排気口１６の内径と略同一になるように設けても、本発明の目的を達成できる。
【００５４】
次に、フィルタの変形例について説明する。
フィルタは、前記ハニカム構造に、例えば、微細酸化チタン等の光触媒、イチョウ葉エキス，緑茶カテキン等のポリフェノール、フラボノイド等の天然消臭成分等を、混合、含浸等して保持させたものを用いることができる。また、前記ハニカム構造に、別のフィルタを積層したものとしてもよく、別のフィルタとしては、例えば、ハニカム構造、ネット構造、シート状構造、不織布構造、積層構造等を採用することができる。さらにハニカム構造としては、斜交ハニカム構造とすることもでき、これにより気流拡散装置内に備えられたファンによって発生させた気流の通過方向に対してセルの壁面が斜めに交わった構造となるので、気流とセルの壁面との接触量を増やすことができる。その結果として、粉塵や悪臭等の吸着量を増やしたり、薬剤からの有効成分の揮散量を増やすことができる。
【００５５】
（実施形態）
次に、図６及び図７を参照して、本発明に係る気流拡散装置の実施形態について説明する。
図６は本発明の実施形態に係る気流拡散装置の正面側から見た斜視図、図７は背面側から見た分解斜視図である。
なお、以下の実施形態において、前述した第１参考例及び第２参考例と共通する構成部分の説明は同一符号または相当符号を付すことで簡略化あるいは省略する。
気流拡散装置７０の本体１１の後面側には、保持部材７１により薬剤保持体１５が保持された状態で後面ケース１３が装着され、本体１１の前面側には前面ケース１２が装着されている。後面ケース１３には吸気口２３が形成されている。また、本体１１にはファン１４が設けられ、本体１１の下部にはファン１１を駆動するための電池が収容され、電池は底部カバー７２により覆われている。
【００５６】
前面ケース１２は、複数の排気口１６が形成されるとともに、ファン１４及び薬剤保持体１５の略正面に位置する部分（前面ケース１２の略中央部分）に遮蔽板１７が装着されている。
本実施形態によれば、薬剤を含んだ気流が排気口１６から放出されることになるが、このとき、遮蔽板１７の存在により、ファン１４からの気流が略直線的に流れずに放射状に拡散される。この結果、排気口１６の前方で広範囲にわたって薬剤を含んだ気流を漂わせることができるので、装置の拡散性向上を図ることができる。また、遮蔽板１７が前面ケース１２の略中央部分に設けられているため、正面から排気口１６を通して内部の構造物が見えることがなく、外観性を損ねることがない。加えて、遮蔽板１７の存在により、例えば幼児等が誤って指等を差し込むことがないので安全性を向上させることができる。
【実施例】
【００５７】
次に、本発明に係る気流拡散装置の作用効果を確認するために行った実施例について説明する。
【００５８】
実施例１
排気口１６の前に配置される遮蔽板１７と、ファン１４との距離を４種類の異なる値に設定して、それらの風量を測定することで、遮蔽板１７の特性を試験した。試験結果を表１に示す。
なお、気流拡散装置としては図１の装置１０を用いた。即ち、旋回翼３４の直径が５９ｍｍで１１枚羽根であり、薬剤保持体１５の担体４８の外形が６０×６０×１０ｍｍであり、そのセルサイズが２．１ｍｍ、紙坪量が５０ｇ／ｍ２のハニカム構造、そして、直流ブラシモータ３３の印加電圧を３．０Ｖ、その回転数を約１１００ｒｐｍとして設定して試験を行った。
また、その風量の測定については、略断面矩形状の筒体を、吸気口２３全部を覆うように後方から当てて、この筒体の内部の中間部（気流拡散装置本体から約４０ｃｍ）に風速測定端子を、２組高さを違えて設置し、そして、２分後、この２組の風速測定端子が示す数値を所定時間（１５秒）間隔で５回確認して、その平均値を求め風量として示した。
【００５９】
【表１】
0005145576.tif 000002
【００６０】
表１により明らかなように、遮蔽板とファンとの離間距離が、１７ｍｍ、２２ｍｍの比較例１，２では、離間距離が７ｍｍ、１２ｍｍの実施例１，２と比べて、風量がほぼ１０％低下した。これにより、遮蔽板１７とファン１４とを、７ｍｍ〜１２ｍｍの離間距離Ｌ３に設定することにより、風量を損なうことがなく、適切な薬剤の拡散が得られることがわかった。
【００６１】
実施例２
図１に示す構成の気流拡散装置を用いて、試験室に薬剤を揮散させて蚊に対する防除効果を検討した。
【００６２】
本発明の実施例として図１に示す構成の気流拡散装置（実施例１と同じもの）を用い、比較例としてアース製薬株式会社製「電池でノーマット９０日用セット」を用いた。なお薬剤保持体としては、実施例及び比較例は同一のものを用いた。この薬剤保持体は、トランスフルトリン５００ｍｇと流動パラフィン６００ｍｇの混合液１１００ｍｇを、６０ｍｍ×６０ｍｍ×１０ｍｍのハニカム構造のパルプ製担体に含浸させて保持させたものである。
【００６３】
試験室は、１０畳居室（４．５ｍ×３．６ｍ、高さ２．４ｍ）を湿度６０〜８０％ＲＨ、温度２７±２℃に調節した。そして図８に示したように、各ケージにアカイエカの雌成虫１７頭を入れて、壁面から水平距離９０ｃｍの位置、床から高さ７５ｃｍ及び１５０ｃｍの位置に、それぞれ対角線上に吊るした。ここで試験室の中心から各ケージまでの水平距離は約１．４ｍである。そして試験室の中央に本発明の実施例の気流拡散装置を置いて薬剤を拡散させた。なお実施例及び比較例の気流拡散装置は、排気口が設けられた正面を所定の壁面（図８中、Ａ）を向くように置いた。
【００６４】
気流拡散装置を作動させて、試験開始から１０分毎に各ケージ内でのアカイエカのノックダウン数を計数し、ＫＴ５０（５０％ノックダウン時間（分））、ＫＴ９０（９０％ノックダウン時間（分））を算出した。
計数は２時間継続して行い、その後、各ケージを試験室の外に出し、アカイエカを清潔なカップに移して温度２７±２℃条件下に放置し、２４時間後の致死率を算出した。
結果は表２に示す。
【００６５】
【表２】
0005145576.tif 000003
【００６６】
表２に示したとおり、７５ｃｍの高さにおけるＫＴ５０は、略同等の効力を示したが、１５０ｃｍの高さでは、本発明の実施例の方がＫＴ５０は速く、有効成分の拡散に優れていることが明らかとなった。またＫＴ９０においても同様の傾向が示された。
これらの結果から、本発明の実施例と比較例とでは、ファンにより発生される風量、薬剤保持体からの有効成分の揮散量に差はないが、排気口の前方に所定の遮蔽板を近傍配置した本発明の実施例の方が、その構造により、遠方への有効成分の拡散性に優れることが明らかとなった。
【００６７】
実施例３
図５に示す構成の気流拡散装置を用いて、気流の清浄効果（粉塵の除去効果）について検討した。
【００６８】
図９に示したように、アクリル製容器（３０ｃｍ×３０ｃｍ×３０ｃｍ）を２つ組み合わせ、図５に示す構成の実施例の気流拡散装置を、その正面が容器Ｂに向くように容器ＡとＢの間にアクリル板により空気の移動がないように密に設置した。そして気流拡散装置を作動させて、容器Ａから容器Ｂに向かって気流が発生するようにし、気流拡散装置の吸気口側に当たる容器Ａに粉塵をシリンジで０．２ｇ噴霧して充満させた。
気流拡散装置を３０分間にわたり作動させ、容器Ｂのサンプリング口から光散乱式デジタル粉塵計ＭＯＤＥＬ３４３１（日本カノマックス製）を用いて粉塵濃度を経時的に測定した。
測定対象とした粉塵・・・φ４〜５μｍの無水ケイ酸
試験に用いたフィルタ・・・（１）  混合型フィルタＥＭ０１（三菱製紙製）
（２）  分離型フィルタＥＣＣ０４／４５Ｓ−ＴＧＹ
（三菱製紙製）
【００６９】
図１０に示した結果のとおり、本発明の気流拡散装置は、φ４〜５μｍの粉塵に対して充分な清浄効果が得られることが明らかとなった。特にフィルタ（２）において清浄効果が優れていた。
【００７０】
実施例４
図５に示す構成の気流拡散装置を用いて、気流の清浄効果（タバコ臭の除去効果）について検討した。
アクリル製容器（３０ｃｍ×３０ｃｍ×３０ｃｍ）内に図５に示す構成の気流拡散装置を設置し、タバコ０．５本又は１本を燃焼させた後、容器内のタバコ臭（アンモニア、アセトアルデヒド、酢酸）の気中濃度（ｐｐｍ）を検知管式ガス測定器（ＧＡＳＴＥＣ製）で測定した。その後、気流拡散装置を３０分間作動させてから同様にしてタバコ臭を測定し、これらの値からタバコ臭の除去率を算出した。
試験に用いたフィルタ・・・（１）  アクアラジット＆アレルスイープ混合ハニカム（５
号段）（三菱製紙製）
結果は表３に示した。
【００７１】
【表３】
0005145576.tif 000004
【００７２】
表３に示したとおり、本発明の気流拡散装置は、タバコ臭の原因であるアンモニア、アセトアルデヒド、酢酸をフィルタにより充分に除去することがわかった。
【００７３】
以上のことから、本実施例によれば、小空間でのタバコの脱臭性能があり、１日６時間使用で約１ヶ月間効果が持続することが分かる。
【００７４】
なお、本発明は、上述した実施形態に限定されるものではなく、適宜、変形、改良等が自在である。その他、上述した実施形態における各構成要素の材質、形状、寸法、数値、形態、数、配置場所、等は本発明を達成できるものであれば任意であり、限定されない。
例えば、前述した実施形態では、遮蔽板が排気口の外形よりも大きい外形であるとして説明したが、略同じ大きさに設定したとしても、本発明の目的を達成できる。
また、前述した実施形態では、吸気口を背面に設けたが、これに限定されず例えば周面に設けてもよい。
さらに、前述した第１参考例では、気流拡散装置の意匠がアニメ的な豚を表現するように構成したが、この意匠としては、アニメ的な豚に限らず、他の動物、植物、魚、昆虫、キャラクター等、適宜様々な意匠を採用することができる。
【図面の簡単な説明】
【００７５】
【図１】本発明の第１参考例に係る気流拡散装置の遮蔽板を取り外した斜め前方から視た外観斜視図である。
【図２】図１の気流拡散装置の斜め後方から視た外観斜視図である。
【図３】図１の気流拡散装置の前面ケースを取り外した正面図である。
【図４】図１の気流拡散装置のＩ−Ｉ線断面図である。
【図５】本発明の第２参考例に係る気流拡散装置の分解斜視図である。
【図６】本発明の実施形態に係る気流拡散装置の外観斜視図である。
【図７】本発明の実施形態に係る気流拡散装置の分解斜視図である。
【図８】本発明実施例により殺虫試験を行った試験室の構成図である。
【図９】本発明実施例により集塵性能試験を行った器具の構成図である。
【図１０】集塵性能試験の結果を表すグラフである。
【図１１】従来の装置の外観図である。
【符号の説明】
【００７６】
１０  気流拡散装置
１１  気流拡散装置本体
１４  ファン
１５  薬剤保持体
１６  排気口
１７  遮蔽板
２３  吸気口
４８  担体
６０  気流拡散装置
６８  フィルタ
７０  気流拡散装置
【図１】
0005145576.tif 000005
【図２】
0005145576.tif 000006
【図３】
0005145576.tif 000007
【図４】
0005145576.tif 000008
【図５】
0005145576.tif 000009
【図６】
0005145576.tif 000010
【図７】
0005145576.tif 000011
【図８】
0005145576.tif 000012
【図９】
0005145576.tif 000013
【図１０】
0005145576.tif 000014
【図１１】
0005145576.tif 000015